(57)【要約】【課題】他人がアクセスすることを防止し，起動暗号の盗用を困難にして，システムの保安性を向上したコンピュータシステムを提供する。【解決手段】ディスプレイ装置１を有し，被感知体７が接触すると移動する感知板面を有する感知本体；感知板面に接触して移動した被感知体７を感知する感知センサ部５；感知センサ部５が感知した被感知体７の移動軌跡に従う軌跡イメージを生成するイメージ生成部１１；所定のイメージ暗号を貯蔵するイメージ暗号貯蔵部１７；起動の際に所定のイメージ画面をディスプレイ装置１に表示し，被感知体７により選択されたイメージ画面上の，いずれかの一領域から他領域への移動軌跡に従ってイメージ生成部１１により生成された軌跡イメージをイメージ暗号と比較して，一致する場合，コンピュータシステムの起動を許す制御部と；を含むことを特徴とする。【選択図】　図３
2004046779.tif 000002
【特許請求の範囲】
【請求項１】
ディスプレイ装置を有するコンピュータシステムであって，
被感知体が接触すると移動する感知板面を有する感知本体と；
前記感知板面に接触して移動した前記被感知体を感知する感知センサ部と；
前記感知センサ部が感知した前記被感知体の移動軌跡に従う軌跡イメージを生成するイメージ生成部と；
所定のイメージ暗号を貯蔵するイメージ暗号貯蔵部と；
起動の際に，ユーザが領域を選択できるように所定のイメージ画面を前記ディスプレイ装置に表示し，前記被感知体により選択された前記イメージ画面上の，いずれかの一領域からいずれかの他領域への移動軌跡に従って前記イメージ生成部により生成された前記軌跡イメージを前記イメージ暗号貯蔵部に貯蔵された前記イメージ暗号と比較して，前記軌跡イメージと前記イメージ暗号とが一致する場合，コンピュータシステムの起動を許す制御部と；
を含むことを特徴とする，コンピュータシステム。
【請求項２】
前記イメージ画面は，複数の領域に区切られていることを特徴とする，請求項１に記載のコンピュータシステム。
【請求項３】
前記イメージ暗号は，前記被感知体の移動開始位置と，移動終了位置とを含むことを特徴とする，請求項１または２のいずれか１項に記載のコンピュータシステム。
【請求項４】
前記感知センサ部は，前記感知板面上の複数の位置アドレスにそれぞれ対応する複数の圧力センサを有することを特徴とする，請求項１，２，または３のうちのいずれか１項に記載のコンピュータシステム。
【請求項５】
前記被感知体は，光を照射するライトペンであり，
前記感知センサは，前記感知板面上の複数の位置アドレスにそれぞれ対応する複数の感光センサを有することを特徴とする，請求項１，２，または３のうちのいずれか１項に記載のコンピュータシステム。
【請求項６】
前記イメージ生成部は，前記感知板面上での移動を実時間で認識してイメージ化する電子ペンであることを特徴とする，請求項１，２，３，４，または５のうちのいずれか１項に記載のコンピュータシステム。
【請求項７】
前記イメージ暗号貯蔵部は，ＲＡＭ内に設けられ，起動時，前記制御部は，前記ＲＡＭから前記イメージ暗号を読み出して，前記イメージ生成部で生成された前記軌跡イメージと比較することを特徴とする，請求項１に記載のコンピュータシステム。
【請求項８】
画像が表示される板面に感知センサ部が装着されたディスプレイ装置を有するコンピュータシステムの起動制御方法であって，
起動の際に，所定のイメージ画面を表示する段階と；
被感知体を前記イメージ画面上のいずれかの一領域からいずれかの他領域に移動させることにより選択する段階と；
前記被感知体の移動軌跡に従う接触位置を感知する段階と；
前記感知された位置情報に基づいて軌跡イメージを生成する段階と；
予め貯蔵されたイメージ暗号を読み出す段階と；
前記生成された軌跡イメージと前記イメージ暗号とを比較して，一致する場合，コンピュータシステムの起動を許す段階と；
を含むことを特徴とする，コンピュータシステムの起動制御方法。
【請求項９】
前記イメージ画面は，複数の領域に区切られていることを特徴とする，請求項８に記載のコンピュータシステムの起動制御方法。
【請求項１０】
前記イメージ暗号は，前記被感知体の移動開始位置と，移動終了位置とを含むことを特徴とする，請求項８または９のいずれか１項に記載のコンピュータシステムの起動制御方法。
【請求項１１】
前記生成された軌跡イメージと前記イメージ暗号とが一致しない場合，エラーメッセジを表示する段階をさらに含むことを特徴とする，請求項８，９，または１０のうちのいずれか１項に記載のコンピュータシステムの起動制御方法。
【発明の詳細な説明】
【０００１】
【発明の属する技術分野】
本発明は，コンピュータシステムに係り，より詳細には，イメージを暗号化して起動を制御するコンピュータシステム及びコンピュータシステムの起動制御方法に関する。
【０００２】
【従来の技術】
コンピュータシステムは，システムに貯蔵された情報の流出を防止するため，ユーザ以外の人が容易にアクセスできないように，暗号設定機能を有している。
【０００３】
一般に，コンピュータシステムの暗号は，コンピュータの起動の際に，キーボードのＤＥＬキーなどを選択すると表示されるセットアップメニュー画面で暗号設定機能を選択して暗号を設定する。セットアップメニュー画面でユーザが設定した暗号は，システムに連結したハードウェア装置の設定情報などが貯蔵される，非揮発性メモリである例えばＣＭＯＳ　ＲＡＭなどに貯蔵される。
【０００４】
暗号が設定された場合，コンピュータシステムの電源スイッチをオンにすると，システムに電源が供給されて，ＰＯＳＴ（Ｐｏｗｅｒ　Ｏｎ　Ｓｅｌｆ　Ｔｅｓｔ）過程が実行される。そしてこのＰＯＳＴ過程中にディスプレイ画面に暗号入力メッセージが表示される。そしてユーザがキーボードから暗号を入力し，入力された暗号とコンピュータに貯蔵されたユーザ暗号とが一致する場合に，システムが起動（ブート）される。
【０００５】
【特許文献１】
米国特許第５５８１７５８号公報
【特許文献２】
米国特許第５８２１９３３号公報
【特許文献３】
米国特許第６２０９１０２号公報
【特許文献４】
米国特許第６２０９１０４号公報
【特許文献５】
米国特許第６２７８４５３号公報
【特許文献６】
韓国公開特許２０００年第１７７３０号公報
【特許文献７】
特開平０７−２５４９５５号公報
【特許文献８】
特開平１０−９７５００号公報
【特許文献９】
特開平１１−８８３２４号公報
【特許文献１０】
特開平１１−３４５２０６号公報
【０００６】
【発明が解決しようとする課題】
ところが，従来の暗号入力方法は，キーボードで入力できるアルファベット，数字，または特殊文字を組み合わせて使用している。このため，暗号をメモしていた場合にこのメモを紛失する恐れがあり，他人に見られたり，盗まれたりする恐れもある。
【０００７】
本発明の目的は，上述した問題点を解決するため，感知画面上で被感知体をいずれかの一領域からいずれかの他領域に移動する時に形成される軌跡イメージを起動暗号として設定することにより，他人がシステムにアクセスすることを防止し，起動暗号の盗用を困難にして，システムの保安性を向上したコンピュータシステム及びコンピュータシステムの起動制御方法を提供することにある。
【０００８】
【課題を解決するための手段】
上記目的を達成するための本発明のコンピュータシステムは，ディスプレイ装置を有するコンピュータシステムであって，被感知体が接触すると移動する感知板面を有する感知本体と；感知板面に接触して移動した被感知体を感知する感知センサ部と；感知センサ部が感知した被感知体の移動軌跡に従う軌跡イメージを生成するイメージ生成部と；所定のイメージ暗号を貯蔵するイメージ暗号貯蔵部と；起動の際に，ユーザが領域を選択できるように所定のイメージ画面をディスプレイ装置に表示し，被感知体により選択されたイメージ画面上の，いずれかの一領域からいずれかの他領域への移動軌跡に従ってイメージ生成部により生成された軌跡イメージを，イメージ暗号貯蔵部に貯蔵されたイメージ暗号と比較して，軌跡イメージとイメージ暗号とが一致する場合，コンピュータシステムの起動を許す制御部と；を含むことを特徴とする。
【０００９】
ここで，感知センサ部は，感知板面上の複数の位置アドレスにそれぞれ対応する複数の圧力センサを有するように構成すれば，被感知体の移動時の位置情報を容易に認識することができる。
【００１０】
また，被感知体は，光を照射するライトペンであり，感知センサは，感知板面上の複数の位置アドレスにそれぞれ対応する複数の感光センサを有するように構成しても，被感知体の移動時の位置情報を認識することができる。
【００１１】
イメージ生成部は，感知板面上での移動を実時間で認識してイメージ化する電子ペンで構成しても，電子ペンで生成された軌跡イメージをコンピュータ本体に提供することができる。
【００１２】
イメージ暗号貯蔵部は，例えばＣＭＯＳなどのＲＡＭ内に設けることが効果的であり，起動の際に制御部は，ＣＭＯＳ　ＲＡＭからイメージ暗号を読み出して，イメージ生成部で生成された軌跡イメージと比較する。このように，ハードウェア状態などのユーザ設定条件保存のためのメモリにイメージ暗号を記憶させるように構成すれば，別途のイメージ暗号貯蔵部を備える必要がないので，製造コストが低減される。
【００１３】
また，上記目的を達成するための本発明のコンピュータシステムの起動制御方法は，画像が表示される板面に感知センサ部が装着されたディスプレイ装置を有するコンピュータシステムの起動制御方法であって，起動の際に，所定のイメージ画面を表示する段階と；被感知体をイメージ画面上のいずれかの一領域からいずれかの他領域に移動させることにより選択する段階と；被感知体の移動軌跡に従う接触位置を感知する段階と；感知された位置情報に基づいて軌跡イメージを生成する段階と；予め貯蔵されたイメージ暗号を読み出す段階と；生成された軌跡イメージとイメージ暗号とを比較して，一致する場合，コンピュータシステムの起動を許す段階と；を含むことを特徴とする。
【００１４】
【発明の実施の形態】
以下に，本発明のいくつかの実施の形態を，図面を用いて説明する。なお，本明細書及び図面において，実質的に同一の機能構成を有する構成要素については，同一の符号を付することにより重複説明を省略する。
【００１５】
図１は，本発明の実施形態によるコンピュータシステムの構成図である。図面に示すように，本発明の実施形態によるコンピュータシステムは，ディスプレイ装置１と，ディスプレイ装置１の画面６に設置されて感知板面に接触すると移動する被感知体の接触位置を感知する感知センサ部５を有する感知本体と，被感知体の移動に従って感知センサ部５から提供される位置情報を受け，イメージに切り換えて処理するコンピュータ本体３とを含む。
【００１６】
ここで，被感知体は，先鋭な端部を有するペン７であることが効果的であり，以下の実施形態の説明では，被感知体を具体的にペン７と称する。
【００１７】
図２は，感知センサ部５で感知された軌跡イメージにより起動が制御されるコンピュータシステムの制御ブロック図である。図２に示すように，コンピュータシステムの制御ブロックは，被感知体が接触して移動できる感知板面に接触して移動する被感知体を感知する感知センサ部５と；感知センサ部５が感知した被感知体の移動軌跡に従う軌跡イメージを生成するイメージ生成部１１と；所定のイメージ暗号を貯蔵するイメージ暗号貯蔵部１７と；起動の際に，複数の領域に区切られた所定のイメージをディスプレイ装置に表示し，いずれかの一領域からいずれかの他領域に被感知体が移動することによりイメージ生成部１１から提供される軌跡イメージと，イメージ暗号貯蔵部１７に貯蔵されたイメージ暗号と，を比較して，一致するか否かに従って起動を制御する起動制御部１３と；を含む。
【００１８】
ここで，イメージ暗号は，暗号イメージを入力するために提示されたイメージ上でペン７が移動する時に，開始点の領域情報及び終了点の領域情報と，開始領域から終了領域までの移動パターンとによる軌跡イメージを含む。
【００１９】
ディスプレイ装置１の前面に設置される感知本体の感知センサ部５は，画面が２次元のマトリックスからなり，行と列の交差点に設けられる複数の圧力感知センサ（図示せず）を含む。これにより，感知センサ部５は，ユーザが所望するパターンに従ってイメージ画面上のいずれかの一領域からいずれかの他領域にペン７を移動すると，接触された圧力感知センサの位置情報をデジタル値に出力して後述するイメージ生成部１１に提供する。
【００２０】
イメージ生成部１１は，感知センサ部５から提供される位置感知情報に基づいて軌跡イメージを生成して，これを起動制御部１３に提供する。
【００２１】
本実施形態では，起動制御部１３は，コンピュータの起動の際，ＢＩＯＳ　ＲＯＭ１５内に貯蔵されて駆動される起動制御プログラムからなる。起動制御部１３は，システムの起動の際に複数の領域に区切られて所定のイメージをディスプレイ装置に表示する。
【００２２】
ユーザがディスプレイ装置１に表示されたイメージのいずれかの一領域からいずれかの他領域にペン７を移動させることにより，感知センサ部５の圧力センサが位置情報を感知する。イメージ生成部１１は，感知された位置情報に基づいて軌跡イメージを生成した後，起動制御部１３に提供する。次いで，起動制御部１３は，イメージ生成部１１から提供された軌跡イメージを，イメージ暗号貯蔵部１７に貯蔵されたイメージ暗号と比較して一致するか否かを判断する。そして，一致する場合には起動を許し，一致しない場合にはエラーメッセージをディスプレイ装置に表示する。ここで，起動制御部１３は，イメージ暗号貯蔵部に予め貯蔵された軌跡イメージと起動時に入力される軌跡イメージのパターンとがある程度類似していれば，一致すると判断する。
【００２３】
イメージ暗号貯蔵部１７は，読み／書き可能なＣＭＯＳ　ＲＡＭ１９であることが好ましい。また，ＣＭＯＳ　ＲＡＭ１９内に貯蔵されるイメージ暗号は，起動の際に，キーボードの所定のキー（例えば，ＤＥＬキー，Ｆ２キー等）を押すと表示されるＣＭＯＳセットアップ画面（図示せず）上のイメージ暗号入力メニューを選択して入力するようにしてもよい。このようにして，ＣＭＯＳセットアップ画面でイメージ暗号入力メニュー（図示せず）を選択し，ディスプレイ装置の画面に表示されたイメージでユーザがいずれかの一領域からいずれかの他領域に所定のパターンを形成しながらペンを移動させれば，イメージ生成部１１により軌跡イメージ化されて暗号としてＣＭＯＳ　ＲＡＭ１９内に貯蔵することができる。
【００２４】
図３は，本発明の実施形態によるコンピュータシステムの起動制御方法を示すフローチャートである。コンピュータシステムの起動制御方法を実現するには，予めＣＭＯＳ　ＲＡＭにイメージ暗号を貯蔵しておく。本実施形態による起動制御プログラムは，システムの起動の際に，ＢＩＯＳ　ＲＯＭ内の起動プログラムが駆動しながら感知センサ部を含んだ周辺装置の連結状態が確認された後に実行されることが好ましい。図３に示すように，まず，段階Ｓ１で，電源スイッチをオンして起動を選択すると（Ｓ１），段階Ｓ３で，各装置の初期化起動の完了後，本実施形態による起動制御プログラムが駆動されて，ディスプレイ装置１に複数の領域に区切られたイメージ画面を表示する（Ｓ３）。
【００２５】
ユーザは，ディスプレイ装置１に表示されたイメージ画面上にペン７を接触させて所望のパターンに従ってイメージのいずれかの一領域からいずれかの他領域に移動させる。これにより，画面に付着された感知センサ部５は，段階Ｓ５で，ペン７が接触された位置を感知して（Ｓ５），位置情報をイメージ生成部１１に提供する。イメージ生成部１１は，段階Ｓ７で，感知センサ部５から提供される位置情報に基づいて所定の軌跡イメージを生成し（Ｓ７），起動制御プログラムに提供する。次いで，起動制御プログラムは，段階Ｓ９で，ＣＭＯＳ　ＲＡＭ１９内に貯蔵されたイメージ暗号を読み出し（Ｓ９），段階Ｓ１１で，イメージ生成部１１で生成された軌跡イメージと比較し，これらが一致するか否かを判断する（Ｓ１１）。軌跡イメージとイメージ暗号とが一致する場合，段階Ｓ１３で，ハードディスク２１からＯＳ（Ｏｐｅｒａｔｉｎｇ　Ｓｙｓｔｅｍ）を読み出してメモリ２３にローディングする定常起動を実行する（Ｓ１３）。しかし，軌跡イメージとイメージ暗号とが一致しない場合，段階Ｓ１４で，エラーメッセージをディスプレイ装置１の画面に出力してユーザにイメージ暗号の不一致を表示する（Ｓ１４）。
【００２６】
ここで，上述した実施形態では，感知センサ部がペンの圧力を感知することについて説明したが，光を照射するライトペンと光を感知する感光センサを本発明に適用することもできる。
【００２７】
また，上述した実施形態では，本実施形態の起動制御プログラムが電源スイッチをオンすると駆動されるＢＩＯＳ起動過程で行われることについて説明したが，ＯＳがメモリにローディングされた後にイメージ暗号を入力することにより，入力された暗号が貯蔵されたイメージ暗号と一致する場合に，ＯＳにより定常的な初期画面を表示するように構成することもできる。
【００２８】
また，上述した実施形態では，感知センサ部がディスプレイ装置の板面に固定されることについて説明したが，ペン入力できる別途の感知板（タブレット版）を水平面上に設けてもよい。
【００２９】
また，上述した実施形態では，イメージ暗号がＣＭＯＳ　ＲＡＭ内に貯蔵されることについて説明したが，読み／書き可能な別途の貯蔵装置を用いることもできる。
【００３０】
また，上述した実施形態では，デスクタップコンピュータに適用した例を説明したが，ノートブックＰＣやＰＤＡ，パームＰＣ等の携帯用コンピュータにも適用することができる。
【００３１】
このような構成により，複数の領域に区切られたイメージ画面で，いずれかの一領域からいずれかの他領域に移動する時に形成される軌跡イメージを起動暗号として設定することにより，他人がアクセスすることを防止し，暗号をユーザが入力した固有軌跡イメージとして設定することにより，他人が暗号を盗用することを防止できる。
【００３２】
以上，本発明のコンピュータシステム及びコンピュータシステムの起動制御方法に係る好適な実施の形態について説明したが，本発明はかかる構成に限定されない。いわゆる当業者であれば，特許請求の範囲に記載された技術思想の範囲内において，各種の修正例および変更例を想定し得るものであり，それらの修正例および変更例についても本発明の技術的範囲に包含されるものと了解される。
【００３３】
【発明の効果】
本発明により，他人がアクセスすることを防止し，起動暗号の盗用を困難にして，システムの保安性を向上したコンピュータシステム及びコンピュータシステムの起動制御方法を提供することができた。
【図面の簡単な説明】
【図１】本発明の実施形態によるコンピュータシステムの構成図である。
【図２】図１のコンピュータシステムの制御ブロック図である。
【図３】本発明の実施形態によるコンピュータシステムの起動制御方法を示すフローチャートである。
【符号の説明】
１　　ディスプレイ装置
３　　コンピュータ本体
５　　感知センサ部
７　　被感知体
１１　　イメージ生成部
１３　　起動制御部
１５　　ＢＩＯＳ　ＲＯＭ
１７　　イメージ暗号貯蔵部
１９　　ＣＭＯＳ　ＲＡＭ
【図１】
2004046779.tif 000003
【図２】
2004046779.tif 000004
【図３】
2004046779.tif 000005